(57)【要約】【課題】ＩＳＯ規格外のコンタクトピン高さ異常プラグコネクタをモジュラージャックコネクタに嵌合した場合に、モジュラージャックコネクタのコンタクトピンを破壊して電気的な接触不良を発生させることを防止する。【解決手段】モジュラージャックコネクタ１２は、モールドケース１の嵌合穴２内に複数のコンタクトピン１５を有して構成される。各コンタクトピン１５の嵌合面側底部に突起部３が設けられる。嵌合穴２に、コンタクトピン高さが規定値以上ある異常状態のプラグコネクタを嵌合させようとすると、突起部３によりプラグコネクタの嵌合穴２への挿入が入口で止められる。これにより、モジュラージャックコネクタ１２のコンタクトピン１５の破壊を防止することができる。【選択図】図１
2007095538.tif 000002
【特許請求の範囲】
【請求項１】
複数のコンタクトピンを有し、プラグコネクタと嵌合されるモジュラージャックコネクタにおいて、前記複数のコンタクトピンのそれぞれのプラグコネクタ挿入側に突起部を設けたことを特徴とするモジュラージャックコネクタ。
【請求項２】
前記突起部は、モジュラージャックコネクタを構成するモールドケースの嵌合穴底部に形成されることを特徴とする請求項１記載のモジュラージャックコネクタ。
【請求項３】
前記突起部は、四角柱状の形状、半球状の形状、または、前面に斜面を持った四角柱状の形状に形成されていることを特徴とする請求項１または２記載のモジュラージャックコネクタ。
【発明の詳細な説明】
【技術分野】
【０００１】
本発明は、モジュラージャックコネクタに係り、特に、嵌合相手のプラグコネクタとの異常嵌合を防止するモジュラージャックコネクタに関する。
【背景技術】
【０００２】
一般に、モジュラージャックコネクタは、プリント基板に搭載され、通信ケーブル側のプラグコネクタとの嵌合により、両コネクタのピン同士が接触して電気的な接続を行うものである。プラグコネクタは、ＩＳＯ（the International Organization for Standardization）８８７７規格等によりコンタクトピンの高さ寸法が規定されており、モジュラージャックコネクタも、その寸法に適合する構造になっている。近年、通信ケーブル側のプラグコネクタは、一般のユーザが市販のかしめ工具を用い容易に加工することができるようになっている。
【０００３】
図７は従来技術によるモジュラージャックコネクタとプラグコネクタとの嵌合前の状態を示す断面図、図８は図７に示すモジュラージャックコネクタとプラグコネクタとを嵌合させた状態を示す断面図、図９は図８の状態からプラグコネクタを抜去した後のモジュラージャックコネクタの状態を示す断面図である。図７〜図９において、１２はモジュラージャックコネクタ、１３はプラグコネクタ、１４はプリント基板、１５はジャック側コンタクトピン、１６はプラグ側コンタクトピン、１９は芯線である。
【０００４】
従来技術によるモジュラージャックコネクタ１２は、モールド樹脂等により形成されたプラグコネクタ１３が挿入される嵌合穴の内部に複数のジャック側コンタクトピン１５が設けられて構成され、通常、プリント基板１４上に搭載されて使用される。ジャック側コンタクトピン１５は、紙面に対して垂直な方向に複数配置されており、ジャック側コンタクトピン１５のそれぞれは、ばね性を持った金属により図７に示すような鍵状に形成されている。ジャック側コンタクトピン１５の嵌合穴の内部の先端部と嵌合穴底部との間は、規定の寸法ｈ０とされている。
【０００５】
また、プラグコネクタ１３は、モジュラージャックコネクタ１２の嵌合穴に挿入可能な形状にモールド樹脂等により形成されれ、その内部にモジュラージャックコネクタ１２のジャック側コンタクトピン１５のそれぞれに対応するようにプラグ側コンタクトピン１６が設けられ、プラグ側コンタクトピン１６の上部に芯線１９が接続されている。プラグコネクタ１３のモールド上面からプラグ側コンタクトピン１６の下端までは、プラグ側コンタクトピン１６と芯線１９とが正常に接続されている場合、距離１７となっている。
【０００６】
前述のように構成されるモジュラージャックコネクタ１２とプラグコネクタ１３とを嵌合させると、図８に示すように、複数のジャック側コンタクトピン１５が複数のプラグ側コンタクトピン１６によりプリント基板１４側に押しつけられるように変形して、両コンタクトピン間で電気的な接続が行われる。そして、図８に示す嵌合状態からプラグコネクタ１３を抜去すると、モジュラージャックコネクタ１２のジャック側コンタクトピン１５は、そのバネ性により元の位置まで戻り、図９に示すように、ジャック側コンタクトピン１５の嵌合穴の内部の先端部と嵌合穴底部との間の寸法は、規定の寸法ｈ０に戻る。
【０００７】
図１０はモジュラージャックコネクタと異常状態にあるプラグコネクタとの嵌合前の状態を示す断面図、図１１は図１０に示すモジュラージャックコネクタと異常状態にあるプラグコネクタとを嵌合させた状態を示す断面図、図１２は図１１の状態から異常状態のプラグコネクタを抜去した後のモジュラージャックコネクタの状態を示す断面図であり、図の符号は、図７〜図９の場合と同一である。
【０００８】
図１０に示すモジュラージャックコネクタ１２は、正常な状態のもので図７により説明したものと同一である。そして、図１０に示す異常状態にあるプラグコネクタ１３は、芯線１９とコンタクトピン１６との接続が不完全なもので、芯線１９とコンタクトピン１６とを接続する際にかしめが不充分のものである。その結果、プラグコネクタ１３のモールド上面からプラグ側コンタクトピン１６の下端までの距離が、プラグ側コンタクトピン１６と芯線１９とが正常に接続されている場合の距離１７よりも大きな距離２１となっている。
【０００９】
前述のような異常のあるプラグコネクタ１３をモジュラージャックコネクタ１２に無理に嵌合させると、図１１に示すように複数のジャック側コンタクトピン１５が複数のプラグ側コンタクトピン１６によりプリント基板１４側に押しつけられるように変形して、両コンタクトピン間で電気的な接続が行われる。しかし、この状態は、ジャック側コンタクトピン１５が強く変形させられた状態となり、図１１に示す嵌合状態からプラグコネクタ１３を抜去すると、図１２に示すように、モジュラージャックコネクタ１２のジャック側コンタクトピン１５は、塑性変形を生じてしまい、いわゆる、へたりにより、そのバネ性によっても元の位置まで戻ることができなくなり、ジャック側コンタクトピン１５の嵌合穴の内部の先端部と嵌合穴底部との間の寸法は、規定の寸法ｈ０より小さいｈ１になり、しかも、ジャック側コンタクトピン１５のバネ性を失われてしまう。この結果、その後に正常なプラグコネクタ１３をモジュラージャックコネクタ１２に嵌合させても、プラグ側コンタクトピン１６とジャック側コンタクトピン１５との間に充分な接触圧力を得ることができず、電気的な接触不良を発生させる。
【００１０】
なお、ピン数が異なるプラグコネクタをモジュラージャックコネクタに嵌合させることを防止したモジュラージャックコネクタに関する従来技術が、例えば、特許文献１等に記載されて知られている。
【特許文献１】特開２００４−２２７８９２号公報
【発明の開示】
【発明が解決しようとする課題】
【００１１】
前述したように、従来技術によるモジュラージャックコネクタは、プラグコネクタのコンタクト高さ寸法が規格外になっているプラグコネクタをモジュラージャックコネクタに嵌合させると、モジュラージャックコネクタのコンタクトピンを破壊して電気的な接触不良を発生させてしまう場合があるという問題点を有している。
【００１２】
本発明の目的は、前述した従来技術の問題点を解決し、接触不良の発生を防止することのできるモジュラージャックコネクタを提供することにある。
【課題を解決するための手段】
【００１３】
本発明によれば前記目的は、複数のコンタクトピンを有し、プラグコネクタと嵌合されるモジュラージャックコネクタにおいて、前記複数のコンタクトピンのそれぞれのプラグコネクタ挿入側に突起部を設けたことにより達成される。
【発明の効果】
【００１４】
本発明によれば、コンタクトピン高さが常なプラグコネクタの挿入がモジュラージャックコネクタの入口で止めることができるので、モジュラージャックコネクタのコンタクトピンの破壊を防止することができる。
【発明を実施するための最良の形態】
【００１５】
以下、本発明によるモジュラージャックコネクタの実施形態を図面により詳細に説明する。
【００１６】
図１は本発明の一実施形態によるモジュラージャックコネクタの構造を説明する斜視図、図２は図１に示すモジュラージャックコネクタに異常状態にあるプラグコネクタを嵌合させようとする状態を説明する断面図である。図１、図２において、１はモールドケース、２は嵌合穴、３は突起部であり、他の符号は図７〜図９の場合と同一である。
【００１７】
本発明の一実施形態によるモジュラージャックコネクタ１２は、プラグコネクタ１３が嵌合される嵌合穴２を有する樹脂等によるモールドケース１の嵌合穴２の内部に複数のジャック側コンタクトピン１５が備えられて構成されている。この構成は、図７等により説明したものと同一である。そして、モジュラージャックコネクタ１２には、嵌合穴２の前方部分に嵌合相手のプラグコネクタ１３のコンタクトピン高さが規定値以上のものが入らないように突起部３が設けられている。この突起部３は、四角柱状の形状、後述するように、半球状の形状、前面に斜面を持った四角柱状の形状であってよく、ジャック側コンタクトピン１５のそれぞれの位置に対応して、各ジャック側コンタクトピン１５の前側、すなわち、プラグコネクタ１３が挿入されてくる嵌合側に設けられ、モールドケース１の製造時にモールドケース１と同時に形成される。
【００１８】
図１に示すような突起部３が設けられたモジュラージャックコネクタ１３に、コンタクトピン高さが規定値以上ある異常状態のプラグコネクタ１２を嵌合させようとすると、図２に示すように、突起部３によりプラグコネクタ１３の嵌合穴２への挿入が入口で止められることになる。この結果、図１０〜図１３により説明したようなモジュラージャックコネクタ１２のコンタクトピン１５破壊による接触不良を防止することが可能となる。
【００１９】
図３、図４は本発明の一実施形態によるモジュラージャックコネクタの突起部を含む寸法関係について説明する正面図、断面図である。
【００２０】
図３に示すように、突起部３の幅寸法５は、プラグコネクタ１３のコンタクトピン１６の規定値寸法に適合させるため、０．５０ｍｍＭＡＸとされ、モールドケース１の嵌合穴２の上部６からの間隔７は、６．１６ｍｍＭＩＮとされる。奥行き方向は、図４に示すように、モールドケース端面８から任意の間隔９を設けることにより規定値以内であるコンタクトピン高さのプラグコネクタ１３の誘い性をよくすることができる。
【００２１】
図５、６は突起部３の形状の他の例を示す図である。図５に示す例は、突起部３の表面形状を半球形状１０とした例であり、図６に示す例は、前面側を斜面形状１１とした例である。突起部３をこのような形状とすることにより、規定値以内のコンタクトピン高さのプラグコネクタ１３の誘い性をよくすることができる。
【００２２】
前述した本発明の実施形態によれば、情報処理装置、通信機器等に使用されるモジュラージャックコネクタにおける、通信ケーブルのプラグコネクタのコンタクトピンとの嵌合の不良により発生する可能性のあるモジュラージャックコネクタのコンタクトピンの破損を防止して、電気的な接続不良を防止することができる。
【図面の簡単な説明】
【００２３】
【図１】本発明の一実施形態によるモジュラージャックコネクタの構造を説明する斜視図である。
【図２】図１に示すモジュラージャックコネクタに異常状態にあるプラグコネクタを嵌合させようとする状態を説明する断面図である。
【図３】本発明の一実施形態によるモジュラージャックコネクタの突起部を含む寸法関係について説明する正面図である。
【図４】本発明の一実施形態によるモジュラージャックコネクタの突起部を含む寸法関係について説明する断面図である。
【図５】突起部の形状の他の例（その１）を示す図である。
【図６】突起部の形状の他の例（その２）を示す図である。
【図７】従来技術によるモジュラージャックコネクタとプラグコネクタとの嵌合前の状態を示す断面図である。
【図８】図７に示すモジュラージャックコネクタとプラグコネクタとを嵌合させた状態を示す断面図である。
【図９】図８の状態からプラグコネクタを抜去した後のモジュラージャックコネクタの状態を示す断面図である。
【図１０】モジュラージャックコネクタと異常状態にあるプラグコネクタとの嵌合前の状態を示す断面図である。
【図１１】図１０に示すモジュラージャックコネクタと異常状態にあるプラグコネクタとを嵌合させた状態を示す断面図である。
【図１２】図１１の状態から異常状態のプラグコネクタを抜去した後のモジュラージャックコネクタの状態を示す断面図である。
【符号の説明】
【００２４】
１  モールドケース
２  嵌合穴
３  突起部
１２  モジュラージャックコネクタ
１３  プラグコネクタ
１４  プリント基板
１５  ジャック側コンタクトピン
１６  プラグ側コンタクトピン
１９  芯線
【図１】
2007095538.tif 000003
【図２】
2007095538.tif 000004
【図３】
2007095538.tif 000005
【図４】
2007095538.tif 000006
【図５】
2007095538.tif 000007
【図６】
2007095538.tif 000008
【図７】
2007095538.tif 000009
【図８】
2007095538.tif 000010
【図９】
2007095538.tif 000011
【図１０】
2007095538.tif 000012
【図１１】
2007095538.tif 000013
【図１２】
2007095538.tif 000014